(57)【特許請求の範囲】
【請求項１】
器具取付面に設置された配線器具に取り付けられる取付部を有する金属製の器具本体と；
前記取付部の周囲に配設される点灯装置と；
器具本体の外縁部に立設された金属製の支持板と；
前記支持基板の前面側に配設された半導体発光素子と；
半導体発光素子に対向し器具本体の略中央部に向かって突出させた反射体と；
半導体発光素子および反射体を覆う透光部材と；
を具備しており、支持板の後面と透光部材の外周部内面との間に空間部が形成されていることを特徴とする照明器具。
【発明の詳細な説明】
【技術分野】
【０００１】
本発明は、発光ダイオード等の半導体発光素子を光源としたシーリングライト等の照明器具に関する。
【背景技術】
【０００２】
従来、この種の照明器具として、住宅等の天井面に設置された引掛シーリングに着脱可能に装着される器具本体と、器具本体の下面側に配設される環形蛍光ランプと、環形蛍光ランプを覆い器具本体の下面に着脱可能に取り付けられる透光部材を備えたシーリングライトが知られている（例えば、特許文献１参照）。
【０００３】
また近年、半導体発光素子、例えば、発光ダイオードの発光効率の向上により、一般照明用の光源として発光ダイオードを採用する照明器具が商品化され、この種の一般住宅用のシーリングライト等の照明器具においても、光源の一部、例えば、常夜灯の光源を発光ダイオードで構成したものが知られている（例えば、特許文献２参照）。さらに、特許文献３に示されるように、ハウジング内に長尺な光源と長尺な凸レンズ、乱反射層と空気層、さらにハウジングの出射面に光拡散層を備えた中空サイドライト方式の面照明装置が知られ、主に液晶バックライトや看板灯に用いられている。
【先行技術文献】
【特許文献】
【０００４】
【特許文献１】特開２００６−１２８１４７号公報
【特許文献２】特開２００３−２４２８０８号公報
【特許文献３】特許第２６５７４７２号公報
【発明の概要】
【発明が解決しようとする課題】
【０００５】
一方、特許文献１および２に示されるような環形蛍光ランプを光源とするシーリングライトの場合には、住宅用としてやわらかい光が好まれる。このために発光面となる透光部材の輝度ムラ、特に環形蛍光ランプに伴うリング状の明るいイメージおよび中心部分に生じる暗部を抑えることから、透光部材に光の拡散性が高くて透過率の低い材料を使用する、その結果、一般的に器具効率（器具光束／ランプ光束）は５０％程度で低くなっている。このため、光源として発光ダイオードをそのまま使用した場合、発光面に対して発光ダイオードを万遍なく配置させても、発光ダイオード自体の輝度が高いために、透光部材にイメージが発生して輝度ムラが生じ、やはり透光部材に光り拡散性が高くて透過率の低い材料を使用せざるを得ない。
【０００６】
また、特許文献３に示されるような、中空サイドライト方式にした場合、比較的容易に表示面の輝度の均斉度を高めることが可能となるが、住宅用のシーリングライトはバックライトや看板灯とは根本的に構造が異なりハウジング構造になっておらず、剥き出しの反射面に光源を取り付けて、全体を曲面形状の透光部材で覆っている構造になっている。このため、シーリングライトの場合には、中空サイドライト方式のように光源部分をハウジングで隠すことができず、特に光源部付近に明暗の輝度ムラが生じやすくなり、透光部材に光り拡散性が高くて透過率の低い材料を使用せざるを得なくなり器具効率が低下してしまう。
【０００７】
また、中空サイドライト方式の反射面（特許文献３の乱反射層）は、出射面の輝度均斉度を高めるために、その形状や反射特性が設計されているが、出射部の形状が変わった場合には、それに応じた反射面の設計変更も必要となる。一方、住宅用シーリングライトの場合、部屋の雰囲気に合わせた数多くの透光部材形状の機種、ラインナップがあり、中空サイドライト方式をシーリングライトにそのまま採用すると、それぞれの機種ごとに異なる反射面が必要となり、開発コスト、および部品コスト等が高騰する問題がある。
【０００８】
このため、住宅用シーリングライト等の照明器具の光源を発光ダイオード等の半導体発光素子にする場合には、発光面である透光部材の輝度ムラを低減して器具効率を向上させると共に、機種ごとの反射面の設計変更を不用にしてコスト的に問題の生じない照明器具を如何に実現するかが重要な課題となっている。
【０００９】
本発明は、上記課題に鑑みてなされたもので、輝度ムラを低減し、かつ部品を共通化してコスト的にも有利な照明器具を提供しようとするものである。
【課題を解決するための手段】
【００１０】
請求項１に記載の照明器具の発明は、器具取付面に設置された配線器具に取り付けられる取付部を有する金属製の器具本体と；前記取付部の周囲に配設される点灯装置と；器具本体の外縁部に立設された金属製の支持板と；前記支持基板の前面側に配設された半導体発光素子と；半導体発光素子に対向し器具本体の略中央部に向かって突出させた反射体と；半導体発光素子および反射体を覆う透光部材と；を具備しており、支持板の後面と透光部材の外周部内面との間に空間部が形成されていることを特徴とする。
【００１１】
本発明において、照明器具は、住宅用のシーリングライト等が好適であるが、住宅用に限らず、オフィス等施設・業務用の照明器具であってもよい。形状は円形、楕円形等の丸形、正方形や長方形等の角形、さらには６角形や８角形等の多角形状をなしていてもよく、特定の形状には限定されない。
【００１２】
器具本体は、鉄板等の金属に白色塗装を施したものや白色の合成樹脂で円盤状のシャーシーとして構成され、中央部には天井等の器具取付面に設置された引掛シーリングに着脱可能に設置されるアダプタや、光源を点灯するための点灯装置を有するものが許容される。また形状は照明器具の形状に合わせた形状をなしていても、照明器具の形状とは別の形状をなしていてもよい。
【００１３】
半導体発光素子は、発光ダイオードや半導体レーザーなど、半導体を発光源とした発光素子が許容される。また半導体発光素子は、長尺な直線または曲線等をなす発光モジュールとして構成され、必要な個数が選択されて器具本体の外縁部に配設されることが好ましいが、長尺でなく丸または角形の点状光源をなすように構成しても、またモジュールの形態にすることなく発光素子を単品で直接組み込んで構成する等、その手段は特に限定されない。器具の外縁部の全周囲に配設しても、例えば、角形をなす照明器具において、対向する辺にのみ配設するようにしてもよい。
【００１４】
反射体は、鉄板等の金属に白色塗装を施したものや白色の合成樹脂で構成されもの、若しくはアルミニウムやステンレス等の金属を鏡面加工したものなどが許容され、両端部を光源に対向し、中間部分から器具本体の略中央部に向かって傾斜させた形状をなしている。傾斜部分は連続的に徐々に傾斜させたものでも、階段状など不連続に傾斜させたものであってもよい。
【００１５】
透光部材は、光源および反射体を覆い、透光性を有する乳白色の半透明な合成樹脂、または強化ガラス等で構成されたものが許容される。色は乳白色に限定されず、用途、雰囲気等にあわせた各種の色が許容される。形状は、丸形、角形、多角形等に構成して各種形状の照明器具を構成することが好ましい。
【発明の効果】
【００１６】
請求項１記載の発明によれば、半導体発光素子の光出射方向に対向し器具本体の略中央部に向かって突出させた反射体と、半導体発光素子および反射体を覆う透光部材により、全体として輝度ムラを低減し、かつ器具効率を向上させることが可能な半導体発光素子を光源とした照明器具を提供することができる。
【００１７】
また、反射体の形状や反射特性を、典型的な透光部材形状に対して輝度均斉度が得られるように設計して輝度ムラを低減することが可能となり、部品を共通化してコストの高騰を抑制した照明器具を提供することができる。
【図面の簡単な説明】
【００１８】
【図１】本発明の第一の実施形態に係る照明器具を示し、（ａ）は縦断面図、（ｂ）は透光部材を外した状態の平面図。
【図２】同じく照明器具の器具本体の外縁部を拡大して示す断面図。
【図３】同じく照明器具の光源体の正面図。
【図４】本発明の第二の実施形態に係る照明器具の縦断面図。
【図５】同じく照明器具のコリメータレンズの特性を説明するための断面図。
【図６】同じく照明器具のコリメータレンズの支持部分を示し、（ａ）は一部を切り欠き断面して示す斜視図、（ｂ）は正面図。
【図７】同じく照明器具の実験結果を示し、透光部材の光源側θ１から中心側θ２０における均斉度を示すグラフ。
【発明を実施するための最良の形態】
【００１９】
以下、本発明に係る照明器具の実施形態について説明する。
【実施例１】
【００２０】
図１〜図３に示すように、本実施例の照明器具は、器具取付面Ａに設置される器具本体１０、半導体発光素子からなる光源体２０、レンズ体３０、反射体４０および透光部材５０で構成する。
【００２１】
器具本体１０は、鉄板等の金属に白色塗装を施した一辺が約５００ｍｍの正方形をなすシャーシーとして構成され、シャーシーの略中央部には天井等の器具取付面Ａに設置された引掛シーリング１１に着脱可能に設置されるアダプタ１２を設ける。さらに、アダプタ１２の周囲の空間部に光源体２０を点灯するための点灯装置１３を取り付け、対向する辺の外縁部１４、１５に光源体２０を設置するための設置部１６、１７を設ける。図中１８は、リモコン受光部である。
【００２２】
光源体２０は、半導体発光素子、本実施例では発光ダイオード２１（以下「ＬＥＤ」と称す）で構成し、複数個のＬＥＤ２１を発光素子基板２２に配置した直線状の長さが約１００ｍｍの線状の発光モジュール２３として構成し、必要な個数、本実施例では５本の発光モジュールが選択されて１本の長尺な光源体２０を構成する。この長尺な光源体２０を２本用意して、器具本体１０の対向する辺の外縁部１４、１５に設けられた設置部１６、１７に１本ずつ、発光部である各ＬＥＤ２１がそれぞれ対向するようにして器具本体の外縁部に配設される。すなわち、器具本体のそれぞれの設置部１６、１７にはシャーシーから一体に形成された支持板２４が立設され、支持板に各発光モジュールの発光素子基板２２を取り付けて支持する（図２）。この支持板２４は、各ＬＥＤ２１の放熱板の作用を兼ね、また支持板の後面と後述する透光部材５０の外周部内面との間で形成される空間部ｓ内に、各ＬＥＤ２１と点灯装置１３を配線するためのコード等を収納する。
【００２３】
レンズ体３０は、各ＬＥＤ２１の光出射方向に対向し近接して配置され、ＬＥＤからの光を平行光にして広がりを持って出射させる長尺な凸レンズで構成し、支持板２４に別途の支持具（図示せず）により取り付けられる。レンズ体３０は、長さ約１００ｍｍの５本の発光モジュール２３（全長約５００ｍｍ）を全て覆って対向して配設できるように、長さ約５００ｍｍの１本の長尺な凸レンズで構成する（図３）。これにより、長尺な凸レンズによって長さ約１００ｍｍの５本の発光モジュール２３の繋ぎ目の目地部分を覆い隠すことができ、レンズ体からはムラのない均一な光が放射される。なお、このレンズ体３０は、上記各発光モジュール２３自体にレンズが組み込まれている場合には設置を省略してもよい。
【００２４】
反射体４０は、鉄板等の金属に白色塗装を施した平板状をなし、両端部を２本のそれぞれの光源体２０における各ＬＥＤ２１に対向し、中間部分から器具本体の略中央部に向かって連続的に徐々に傾斜させた傾斜部４１を形成する。反射体は、器具本体１０を構成するシャーシーの略中央部に、ネジ若しくはスポット溶接等の手段で固定される。
【００２５】
透光部材５０は、透光性を有する乳白色の半透明な合成樹脂で構成し、浅い皿状の球面状をなす発光部５１と、器具本体１０の外縁部１４、１５に対応する部分に外周部を残して上面を開口することにより形成した開口部５２とを一体に形成し、器具本体の下方から被せることにより、光源体２０および反射体４０を覆うように器具本体の下面全体を囲むようにして取り付けられる。なお、透光部材５０は公知の凹凸の係合手段や取付金具等の手段で器具本体の外縁部に着脱可能に取り付けられる。
【００２６】
上記のように構成されたシーリングライトからなる照明器具は、天井等の器具取付面Ａに設けられた引掛シーリング１１にアダプタ１２を係合し、アダプタを器具本体に係合することにより、電気的に電源と接続されると同時に、機械的に支持され設置される（図１）。
【００２７】
上記に設置された照明器具を点灯すると、光源体２０の各ＬＥＤ２１が発光し、ＬＥＤから放射された光はレンズ体３０により、略平行な方向、すなわち、反射体４０の傾斜部４１に向かって放射され、さらに反射体で反射して透光部材５０を内面側から照射し、部屋全体にわたり略均一な明るさで照明する。この際、光源体２０が器具本体１０の外縁部１４，１５に配設され、従来のように環形蛍光ランプが器具本体の中央部に存在しない。このため、ランプイメージが透光部材の照射中心部に現れずに均斉度が向上する。
【００２８】
すなわち、器具本体１０の外縁部１４、１５は、光源に近く、また５個の線状の発光モジュール２３を接続して長尺な光源体を構成した繋ぎ目の目地部分が暗部となったり、製造バラツキ等によりＬＥＤ２１とレンズ体３０の隙間から光が漏れ透光部材５０に照射されて輝線が出たり、さらに空間部ｓ内に収納された光源体２０と点灯装置１３を配線するためのコード等の写りこみや影が出やすく、特に輝度ムラ対策が必要な部分となっている。
【００２９】
本実施例の各ＬＥＤ２１から発生した熱は、各発光モジュール２３の発光素子基板２２からシャーシーに一体に形成された支持板２４を介して面積の広いシャーシーに伝達され効率よく放熱される。
【００３０】
上述した照明器具は、部屋の雰囲気等に合わせた数多くの透光部材形状の機種、ラインナップに対して、次のように対応する。
【００３１】
すなわち、照明器具における反射体４０の形状や反射特性は、普及機種等の典型的な透光部材形状に対して輝度均斉度が得られるように設計し、意匠的に透光部材形状を変化させる機種に対しては、反射体は共通化する。これにより、反射体４０をラインナップされた各機種に対して共通化することができ、開発コスト、および部品コストを削減することができる。
【００３２】
以上、本実施例によれば、各ＬＥＤ２１から発生した熱は、支持板２４を介して面積の広いシャーシーに伝達され効率よく放熱される。
【００３３】
器具本体１０の光源体２０を支持する支持板２４と、透光部材５０の外周部との間に空間部ｓが形成されるので、配線コード等の収納スペースとして活用することができる。
【００３４】
反射体４０をラインナップされた各機種に対して共通化することができ、コスト的にも有利な照明器具を提供することができる。
【００３５】
以上、本実施例において、レンズ体３０を５本の発光モジュール２３を全て覆って対向して配設できるように、長さ約５００ｍｍの１本の長尺な凸レンズで構成したが、２本に分割して構成しても、さらに、個々の発光モジュール２３に対応して５本に分割して構成してもよい。
【００３６】
器具本体１０の光源体２０を支持する支持板２４を、シャーシーと一体に形成したが、アルミニウム等で構成した別体の支持板で構成してもよい。この場合も支持板をシャーシーに取り付けることにより、熱的に接続されてＬＥＤの放熱作用も行うことができる。
【００３７】
角形の照明器具を構成して、光源体２０を対向する外縁部１４、１５に２本配設したが、各４辺に計４本の光源を配置してもよい。さらに丸形の照明器具を構成し、発光モジュール２３をリング状に連結して光源体を構成し、器具本体１０の外縁部１４、１５の周囲全体にわたって配設するようにしてもよい。
【００３８】
照明器具をペンダント形のシーリングライトを構成したが、天井直付け形のシーリングライトを構成しても、さらにオフィス等施設、業務用などの各種の照明器具を構成してもよい。
【実施例２】
【００３９】
本実施例は、照明器具のレンズ体として、焦点を出た光が無収差の平行光となってレンズを出るコリメータレンズで構成したものである。
【００４０】
以下、図４〜図７に従い、その構成を説明する。なお、各図には実施例１と同一部分には同一符号を付し詳細な説明は省略する。
【００４１】
図４〜図６に示すように、照明器具は、器具取付面Ａに設置される器具本体１０、ＬＥＤ２１からなる光源体２０、ＬＥＤの光出射方向に対向して配置される長尺なコリメータレンズ６０、実施例１と同様に光源体２０のＬＥＤ２１に対向し器具本体１０の略中央部に向かって傾斜させた反射体４０、光源体２０および反射体４０を覆う透光部材５０で構成する。本実施例における透光部材５０は、全体が均一な肉厚で構成されている。
【００４２】
コリメータレンズ６０は、図６（ａ）に示すように、平滑な入射面６１、入射面の中心に第一焦点ａを有する断面略楕円形状をなす出射面６２、入射面の上下部分を切り欠いて形成した断面三角形状の凹部６３、６３および凹部の両側に一体に形成した支持部６４、６４を有する。このコリメータレンズ６０は、図に示すように、入射面の第一焦点ａを出た光が無収差の平行光となって断面略楕円形状をなす出射面６２から出射される。
【００４３】
上記構成のコリメータレンズ６０は、図６（ｂ）に示すように、長さ約１００ｍｍの５本の発光モジュール２３（全長約５００ｍｍ）を全て覆って対向して配設できるように、長さ約２５０ｍｍの長尺なコリメータレンズ６０を２本用意する。これにより、長尺なコリメータレンズ６０によって長さ約１００ｍｍの５本の発光モジュール２３の繋ぎ目の目地部分を覆い隠すことができ、コリメータレンズ６０からはムラのない均一な光が放射される。
【００４４】
上記２本のコリメータレンズ６０は、光源体２０における各ＬＥＤ２１の発光中心ｂがコリメータレンズ６０の第一焦点ａより所定の寸法ｃだけ透光部材側（図５において上方、図６（ａ）において下方）に位置し、かつ平滑な入射面６１に接するように配設される。コリメータレンズ６０は、支持部６４、６４を使用して各発光モジュール２３の発光素子基板２２の表面側に取り付けて支持される。
【００４５】
上記に構成したＬＥＤ２１およびコリメータレンズ６０からなる光源体２０を２本用意し、実施例１と同様に、器具本体１０の対向する辺の外縁部１４、１５に設けられた設置部１６、１７に１本ずつ、発光部であるＬＥＤ２１がそれぞれ対向するようにして器具本体の外縁部に配設し、実施例１と同様に構成された反射体４０を含めて覆うように透光部材５０を被せて照明器具を構成する（図４）。なお透光部材５０は上述したように実施例１とは異なり肉厚の均一なもので構成する。
【００４６】
なお、コリメータレンズ６０の入射面に形成した断面三角形状の凹部６３、６３内に、５本の発光モジュールそれぞれを電気的に接続するための配線コードや連結のための接続部品等を収納して構成する。
【００４７】
上記に構成された照明器具において、器具の均斉度を実験により測定した。すなわち、図５に示すように、光源体２０における各ＬＥＤ２１の発光中心ｂをコリメータレンズ６０の第一焦点ａに対して所定の寸法ｃ（ｙプラス方向とｙマイナス方向（透光部材側（図５において上方）と反透光部材方向（図５において下方））に偏心させて、均斉度を測定した。
【００４８】
その結果を表１に示す。ＬＥＤ中心線位置（寸法ｃ）が約０．５ｍｍ（Ｎｏ．５）で均斉度が一番よくなり、中心線位置が０ｍｍのＬＥＤの発光中心ｂとコリメータレンズの第一焦点ａを一致させた場合（Ｎｏ．３）と対比すると、均斉度が約１割向上していることが理解される。また、反対側（ｙマイナス方向）に偏心させた場合には約１割低下することが理解できる。なお、さらに透光部材側（ｙプラス方向に偏心させると均斉度は低下していく。
【００４９】
また、上記のようにＬＥＤ中心線位置を偏心させた場合の、透光部材の光源側θ１から中心側θ２０における光源の軸に直交する中央線ｘ−ｘ（図１（ｂ））上の光束を測定した。その結果を、図７のグラフに示す。この結果からもＬＥＤ中心線位置（寸法ｃ）が約０．５ｍｍ（Ｎｏ．５）で均斉度が一番よくなっていることが理解できる。
【００５０】
【表１】
0005278781.tif 000002
【００５１】
上記の実験結果から明らかなように、本実施例の照明器具を点灯すると、均斉度が良好となって透光部材全体としての輝度ムラが低減し、均斉度を一層向上させることがでる。
【００５２】
特に、レンズ体として焦点を出た光が無収差の平行光となってレンズを出るコリメータレンズ６０を使用したので、光源の光を無駄なく前方の反射体に照射して光を効率的に利用することができると共に、目的とする均斉度を容易かつ確実に得ることができる。さらに、コリメータレンズ６０により上向き（反透光部材側）の光が抑制されるため、輝度ムラが抑制され効率よく均斉度が得られる。しかも、透光部材５０の透過率を変えることなく行えるので、一層簡易な手段で効果的な均斉度を得ることができる。
【００５３】
さらに、上記実験で行ったように、ＬＥＤ中心位置、換言すれば、光源の位置を偏心させることにより、配光の制御も行うことが可能となる。因みに、コリメータレンズ６０の焦点ａに対して透光部材側（図５の上側）に偏心させると光は下向きに、反透光部材側（図５の下側）に偏心させると光は上向きになることが、上記の実験で明らかになっている。
【００５４】
以上、本実施例において、コリメータレンズ６０を５本の発光モジュール２３を全て覆って対向して配設できるように、長さ約２５０ｍｍの２本の長尺なレンズで構成したが、実施例１と同様に５００ｍｍの長さの１本のレンズで構成しても、さらに、個々の発光モジュールに対応して５本に分割して構成してもよい。コリメータレンズ６０の入射面に形成した断面三角形状の凹部６３、６３は省略してもよい。
【００５５】
また、本実施例におけるコリメータレンズ６０を、実施例１の凸レンズ３０に代えて使用し、コリメータレンズ６０によって均斉度を向上させるとにより一層確実な均斉度を得るように構成してもよい。
【００５６】
その他、本実施例における他の構成、作動、作用効果、変形例等は、実施例１と同様である。
【００５７】
以上、本発明の好適な実施形態を説明したが、本発明は上述の各実施例に限定されることなく、本発明の要旨を逸脱しない範囲内において、種々の設計変更を行うことができる。
【符号の説明】
【００５８】
１０  器具本体、１４、１５  外縁部、２１ 
半導体発光素子、３０  レンズ体、４０  反射体、５０ 
透光部材
【図１】
0005278781.tif 000003
【図３】
0005278781.tif 000004
【図４】
0005278781.tif 000005
【図５】
0005278781.tif 000006
【図６】
0005278781.tif 000007
【図７】
0005278781.tif 000008
【図２】
0005278781.tif 000009